(57)【要約】【課題】  陸上や海上を問わず簡単に裏込めができ、既設の矢板壁の補強なども簡単にできるゴム製裏込め材を提供すること。【解決手段】  被補強壁部材である矢板壁と補強部材である新設杭のＨ型鋼３との間に中空部材１１と、ゴム製部材１２とでなるゴム製裏込め材１０を設け、内部に無収縮モルタルの充填部材１３を充填してゴム製部材１２を開口部側に突き出すようにすることで、被補強壁部材と補強部材との間の荷重を支持させて補強するようにする。  これにより、中空部材１１を被補強壁部材と補強部材との間に配置することで、ゴム製部材１２の膨らむ方向を規制でき、しかも充填部材１３を充填するだけで簡単に裏込めでき、ひとつずつ設置しながら裏込めできるようになる。【選択図】  図３
2008223331.tif 000002
【特許請求の範囲】
【請求項１】
被補強壁部材と補強部材との間に設けられ当該被補強壁部材の荷重を当該補強部材に支持補強するゴム製裏込め材であって、
前記被補強壁部材と前記補強部材の間隔より短い中空部材と、
この中空部材の開口部の少なくとも一端に取り付けられて当該中空部材内に収納可能かつ当該中空部材を封鎖後充填される充填部材で開口部側に突き出して荷重を支持可能なゴム製部材とでなることを特徴とするゴム製裏込め材。
【請求項２】
前記中空部材の前記開口部の両端に、前記ゴム製部材を取り付けて当該中空部材を封鎖することを特徴とする請求項１記載のゴム製裏込め材。
【請求項３】
前記中空部材の前記開口部の他端に、封鎖用板部材を取り付けて封鎖することを特徴とする請求項１記載のゴム製裏込め材。
【請求項４】
前記ゴム製部材を、ダイヤフラム状、蛇腹状、折り重ね状のいずれかとして前記中空部材に収納可能かつ前記充填部材で突出支持可能に構成したことを特徴とする請求項１〜３のいずれかに記載のゴム製裏込め材。
【請求項５】
前記中空部材を鋼管で構成し、天部に排気口を設けるとともに、地部に前記充填部材の注入口を設けてなることを特徴とする請求項１〜４のいずれかに記載のゴム製裏込め材。
【請求項６】
前記中空部材に、前記充填部材の充填により突き出す前記ゴム製部材を支持する支持部材を突き出し移動可能に設けてなることを特徴とする請求項１〜５のいずれかに記載のゴム製裏込め材。
【請求項７】
前記支持部材を、筒状または半筒状に構成してなることを特徴とする請求項６記載のゴム製裏込め材。
【請求項８】
前記充填部材を、無収縮モルタルとしたことを特徴とする請求項１〜７のいずれかに記載のゴム製裏込め材。
【請求項９】
前記被補強壁部材を既設矢板壁とし、前記補強部材をＨ型鋼で連結して新設杭群で構成してなることを特徴とする請求項１〜８のいずれかに記載のゴム製裏込め材。
【発明の詳細な説明】
【技術分野】
【０００１】
この発明は、ゴム製裏込め材に関し、中空部材とこれの端部を塞ぐゴム製部材との内部にモルタルなどを充填するようにしたもので、陸上や海上を問わず簡単に裏込めができ、特に既設の矢板壁の補強などに用いて好適なものである。
【背景技術】
【０００２】
裏込め材を用いる土留め工事は土木現場において多く行われており、多種多様な土止め用の裏込め材が使用されており、例えば、木楔、袋詰めのコンクリート、金属製やプラスチック製の楔などが使用されている。
【０００３】
例えば特許文献１には、トンネルや坑道などを作製するシールド工法において用いる袋つき裏込め材が開示されており、セグメントと地山とで囲まれた閉じられた空間に袋とともにモルタルなどを充填して裏込めを行うようにしている。
【０００４】
また、裏込めが必要な場合のひとつに、海上などの既設の矢板壁の補強があり、当初の設計海底面を深くして増深化する場合には、例えば、杭を新設し、新設杭と矢板壁の間の空間を裏込めする必要がある。
【０００５】
さらに、矢板壁の補強構造については、特許文献２，３など種々の提案がある。
【特許文献１】特開２００３−１２０１８９号公報
【特許文献２】特開２００５−２９０７９０号公報
【特許文献３】特開２００２−２１２９４３号公報
【発明の開示】
【発明が解決しようとする課題】
【０００６】
ところが、特許文献１に開示されている袋つき裏込め材を、海上の既設の矢板壁と新設杭との空間に適用しようとすると、袋を空間に配置し、その内部にモルタルなどを充填することになるが、モルタルの重量で袋が下方に膨らむものの、矢板壁と新設杭との空間を最短で塞ぐ水平方向に膨らむようにすることができず、簡単に裏込めすることができないという問題がある。
【０００７】
また、特許文献２，３などの矢板壁の補強構造などは、新たな矢板壁への適用は容易であるものの、既設の矢板壁への適用は簡単でないという問題がある。
【０００８】
この発明は、かかる従来技術の問題に鑑みてなされたものであって、陸上や海上を問わず簡単に裏込めができ、既設の矢板壁の補強なども簡単にできるゴム製裏込め材を提供しようとするものである。
【課題を解決するための手段】
【０００９】
上記課題を解決するためこの発明の請求項１記載のゴム製裏込め材は、被補強壁部材と補強部材との間に設けられ当該被補強壁部材の荷重を当該補強部材に支持補強するゴム製裏込め材であって、前記被補強壁部材と前記補強部材の間隔より短い中空部材と、この中空部材の開口部の少なくとも一端に取り付けられて当該中空部材内に収納可能かつ当該中空部材を封鎖後充填される充填部材で開口部側に突き出して荷重を支持可能なゴム製部材とでなることを特徴とするものである。
【００１０】
このゴム製裏込め材によれば、被補強壁部材と補強部材との間に中空部材と、ゴム製部材とでなるゴム製裏込め材を設け、内部に充填部材を充填してゴム製部材を開口部側に突き出すようにすることで、被補強壁部材と補強部材との間の荷重を支持させて補強できるようになる。
【００１１】
これにより、中空部材を被補強壁部材と補強部材との間に配置することで、ゴム製部材の膨らむ方向を規制でき、しかも充填部材を充填するだけで簡単に裏込めでき、ひとつずつ設置しながら裏込めできるようになる。
【００１２】
また、この発明の請求項２記載のゴム製裏込め材は、請求項１記載の構成に加え、前記中空部材の前記開口部の両端に、前記ゴム製部材を取り付けて当該中空部材を封鎖することを特徴とするものである。
【００１３】
このゴム製裏込め材によれば、前記中空部材の前記開口部の両端に、前記ゴム製部材を取り付けて当該中空部材を封鎖するようにしており、ゴム製部材を両側に突き出すようにして大きな間隔に対しても裏込めでき、適用範囲を拡大できるようになる。
【００１４】
さらに、この発明の請求項３記載のゴム製裏込め材は、請求項１記載の構成に加え、前記中空部材の前記開口部の他端に、封鎖用板部材を取り付けて封鎖することを特徴とするものである。
【００１５】
このゴム製裏込め材によれば、前記中空部材の前記開口部の他端に、封鎖用板部材を取り付けて封鎖するようにしており、一方を封鎖用板部材で塞ぐことで、荷重の支持を安定させるとともに、支持面積を拡大したり、調整できるようになる。
【００１６】
また、この発明の請求項４記載のゴム製裏込め材は、請求項１〜３のいずれかに記載の構成に加え、前記ゴム製部材を、ダイヤフラム状、蛇腹状、折り重ね状のいずれかとして前記中空部材に収納可能かつ前記充填部材で突出支持可能に構成したことを特徴とするものである。
【００１７】
このゴム製裏込め材によれば、前記ゴム製部材を、ダイヤフラム状、蛇腹状、折り重ね状のいずれかとして前記中空部材に収納可能かつ前記充填部材で突出支持可能に構成しており、必要な突き出し量に簡単に対応できるようにしている。
【００１８】
さらに、この発明の請求項５記載のゴム製裏込め材は、請求項１〜４のいずれかに記載の構成に加え、前記中空部材を鋼管で構成し、天部に排気口を設けるとともに、地部に前記充填部材の注入口を設けてなることを特徴とするものである。
【００１９】
このゴム製裏込め材によれば、前記中空部材を鋼管で構成し、天部に排気口を設けるとともに、地部に前記充填部材の注入口を設けており、下から充填部材を注入することで、内部の空洞を防止でき、しかも確実に充填されたことを排気口で確認できるようになる。
【００２０】
また、この発明の請求項６記載のゴム製裏込め材は、請求項１〜５のいずれかに記載の構成に加え、前記中空部材に、前記充填部材の充填により突き出す前記ゴム製部材を支持する支持部材を突き出し移動可能に設けてなることを特徴とするものである。
【００２１】
このゴム製裏込め材によれば、前記中空部材に、前記充填部材の充填により突き出す前記ゴム製部材を支持する支持部材を突き出し移動可能に設けており、充填部材の充填で突き出したゴム製部材が垂れ下がることを支持部材で支持して防止できるようになる。
【００２２】
さらに、この発明の請求項７記載のゴム製裏込め材は、請求項６記載の構成に加え、前記支持部材を、筒状または半筒状に構成してなることを特徴とするものである。
【００２３】
このゴム製裏込め材によれば、前記支持部材を、筒状または半筒状に構成しており、ゴム製部材の周囲全体を覆ったり、下部の半周を覆って支持することで、確実に垂れ下がることを防止できるようになる。
【００２４】
また、この発明の請求項８記載のゴム製裏込め材は、請求項１〜７のいずれかに記載の構成に加え、前記充填部材を、無収縮モルタルとしたことを特徴とするものである。
【００２５】
このゴム製裏込め材によれば、前記充填部材を、無収縮モルタルとしており、確実に荷重を支持し、補強できるようになる。
【００２６】
さらに、この発明の請求項９記載のゴム製裏込め材は、請求項１〜８のいずれかに記載の構成に加え、前記被補強壁部材を既設矢板壁とし、前記補強部材をＨ型鋼で連結して新設杭群で構成してなることを特徴とするものである。
【００２７】
このゴム製裏込め材によれば、前記被補強壁部材を既設矢板壁とし、前記補強部材をＨ型鋼で連結して新設杭群で構成しており、既設の矢板壁と新設杭群のＨ型鋼との間に設けて海上や陸上からモルタルなどを充填することで簡単に裏込めでき、荷重の支持と補強できるようになる。
【発明の効果】
【００２８】
この発明の請求項１記載のゴム製裏込め材によれば、被補強壁部材と補強部材との間に中空部材と、ゴム製部材とでなるゴム製裏込め材を設けたので、内部に充填部材を充填してゴム製部材を開口部側に突き出すようにすることで、被補強壁部材と補強部材との間の荷重を支持させて補強することができる。
【００２９】
これにより、中空部材を被補強壁部材と補強部材との間に配置することで、ゴム製部材の膨らむ方向を規制することができ、しかも充填部材を充填するだけで簡単に裏込めすることができ、ひとつずつ設置しながら裏込めすることもできる。
【００３０】
また、この発明の請求項２記載のゴム製裏込め材によれば、前記中空部材の前記開口部の両端に、前記ゴム製部材を取り付けて当該中空部材を封鎖するようにしたので、ゴム製部材を両側に突き出すようにして大きな間隔に対しても裏込めすることができ、適用範囲を拡大することができる。
【００３１】
さらに、この発明の請求項３記載のゴム製裏込め材によれば、前記中空部材の前記開口部の他端に、封鎖用板部材を取り付けて封鎖するようにしたので、一方を封鎖用板部材で塞ぐことで、荷重の支持を安定させることができるとともに、この封鎖用板部材で支持面積を拡大したり、調整することもできる。
【００３２】
また、この発明の請求項４記載のゴム製裏込め材によれば、前記ゴム製部材を、ダイヤフラム状、蛇腹状、折り重ね状のいずれかとして前記中空部材に収納可能かつ前記充填部材で突出支持可能に構成したので、必要な突き出し量に簡単に対応することができる。
【００３３】
さらに、この発明の請求項５記載のゴム製裏込め材によれば、前記中空部材を鋼管で構成し、天部に排気口を設けるとともに、地部に前記充填部材の注入口を設けたので、下から充填部材を注入することで、内部の空気などを排出して空洞を防止でき、しかも確実に充填されたことを排気口で確認することができる。
【００３４】
また、この発明の請求項６記載のゴム製裏込め材によれば、前記中空部材に、前記充填部材の充填により突き出す前記ゴム製部材を支持する支持部材を突き出し移動可能に設けたので、充填部材の充填で突き出したゴム製部材が垂れ下がることを支持部材で支持して防止することができる。
【００３５】
さらに、この発明の請求項７記載のゴム製裏込め材によれば、前記支持部材を、筒状または半筒状に構成したので、ゴム製部材の周囲全体を覆ったり、下部の半周を覆って支持することで、確実に垂れ下がることを防止することができる。
【００３６】
また、この発明の請求項８記載のゴム製裏込め材によれば、前記充填部材を、無収縮モルタルとしたので、収縮することがなく確実に荷重を支持し、補強することができる。
【００３７】
さらに、この発明の請求項９記載のゴム製裏込め材によれば、前記被補強壁部材を既設矢板壁とし、前記補強部材をＨ型鋼で連結して新設杭群で構成したので、既設の矢板壁と新設杭群のＨ型鋼との間に設けて海上や陸上からモルタルなどを充填することで簡単に裏込めすることができ、荷重の支持と補強を確実に行うことができる。
【発明を実施するための最良の形態】
【００３８】
以下、この発明の実施の形態について、図面に基づき詳細に説明する。  
図１〜図３はこの発明のゴム製裏込め材を既設矢板壁と新設杭との間の裏込め補強のために適用した一実施の形態にかかり、図１は全体の概略水平断面図、図２は全体の概略垂直断面図、図３はゴム製裏込め材の拡大垂直断面図である。
【００３９】
このゴム製裏込め材１０は、既設の矢板壁１を補強するため、鋼管杭２を新設し、新設杭２を連結するＨ型鋼３と矢板壁１との間に設けられて裏込めに用いられ、これにより、矢板壁１とＨ型鋼３とをゴム製裏込め材１０を介して連結することで荷重の支持と補強を行うものである。
【００４０】
このゴム製裏込め材１０は、図３に示すように、中空部材１１と、中空部材１１の両端の開口部１１ａを塞ぐ伸縮性ゴムで形成したゴム製部材１２、１２とで構成され、内部に無収縮モルタルなどの充填部材１３を充填することで、両端のゴム製部材１２，１２を外側に突き出すようにすることで、隙間をなくして連結状態に裏込めする。
【００４１】
中空部材１１は、裏込めすべき間隔である矢板壁１とＨ型鋼３との間隔より短い鋼管で構成され、例えば裏込めすべき間隔の半分程度の長さとされ、中空部材１１の大きさは支持すべき荷重などにより適宜定める。
【００４２】
この中空部材１１は、例えば直径が３００ｍｍで、例えば裏込めすべき間隔を４００ｍｍとした場合に長さが２００ｍｍの鋼管が用いられる。
【００４３】
なお、中空部材１１の断面形状は、円形に限らず、三角形や多角形、楕円形など他の形状であっても良い。
【００４４】
この鋼管で構成した中空部材１１には、天部（取り付け状態での上部）の長さ方向中央に吊り金具１４が溶接してあり、裏込めすべき位置に吊り下げて固定できるようにしてある。
【００４５】
また、この中空部材１１には、天部（取り付け状態での上部）に内部と連通する小径管で構成した排気口１５が取り付けられるとともに、地部（取り付け状態での下部）に充填部材１３を充填するための注入パイプなどを連結する小径管で構成した注入口１６が内部と連通して取り付けてある。
【００４６】
このような中空部材１１には、両端の開口部１１ａ，１１ａにゴム製部材１２，１２が取り付けられて塞がれている。
【００４７】
このゴム製部材１２は、中空部材１１の開口部１１ａを塞ぐとともに、開口部外周を覆うように被せられ、通常時には、中空部材１１の内側に収納状態とされ、充填部材１３の充填時には、外側に突き出した状態となるようにしたゴム製のものが用いられ、開口部外周にバンド１７を介して固定してある。
【００４８】
このゴム製部材１２は、例えば円板部１２ａの周囲に円すい部１２ｂが形成され、円すい部の周囲に取付フランジ部１２ｃが形成されて構成され、円板部１２ａがこれに加わる圧力などで移動するダイヤフラム状としてあり、円すい部１２ｂが内側に位置する状態から反転して外側に突き出す状態となる。
【００４９】
このように構成したゴム製裏込め材１０は、図１および図２に示すように、既設の矢板壁１と、その補強のため新設された鋼管杭２を連結するＨ型鋼３との間に配置され、両端のゴム製部材１２がそれぞれ矢板壁１とＨ型鋼３と対向し、中空部材１１の中心軸が矢板壁１の壁面と直交する方向となるようにし、吊り金具１４に連結した図示しないワイヤロープなどで矢板壁１あるいは、Ｈ型鋼３に支持固定する。こうして裏込めすべき位置にゴム製裏込め材１０を吊り下げることで、天部に排気口１５が位置し、地部に注入口１６が位置することになる。
【００５０】
次いで、ゴム製裏込め材１０の注入口１６に注入パイプを連結し、充填部材１３として、例えば無収縮モルタルを注入する。すると、ゴム製裏込め材１０の内部に注入される無収縮モルタル１３で両端のゴム製部材１２が外側に突き出すように膨らんで矢板壁１とＨ型鋼３と隙間を埋めて裏込めされ、連結状態として補強構造体を構成する。
【００５１】
このようなゴム製裏込め材１０を用いることで、中空部材１１に対して両端のゴム製部材１２，１２の突き出し方向が規制され、突き出し代の分だけの隙間を裏込めすることができ、適用ストロークが大きく、特に大型工事が多い海洋工事に好適である。
【００５２】
また、ゴム製裏込め材１０は、排気口１５および注入口１６以外は水密状態であり、海水中に取り付けることもでき、充填部材１３の注入を注入パイプを介して海上や地上のいずれかでも行うことができるので、地上や海上のいずれにも使用することができる。
【００５３】
さらに、ゴム製裏込め材１０を１つずつ施工することができ、裏込めのために大型装置や台船などを必要とせず、簡単に裏込めすることができる。
【００５４】
次に、この発明のゴム製裏込め材の他の実施の形態について、図４により説明するが、すでに説明したゴム製裏込め材１０と同一部分には、同一記号を記し重複する説明は省略する。
【００５５】
このゴム製裏込め材２０は、中空部材１１の開口部１１ａの一端に封鎖用板部材１１ｂを取り付けて塞いであり、鋼管で構成した中空部材１１では、鉄板で構成した封鎖用板部材１１ｂが溶接で取り付けてある。
【００５６】
そして、このゴム製裏込め材２０では、もう一方の開口部１１ａにゴム製部材１２が被せるように取り付けられ、取付フランジ部１２ｃの外側をバンド１７で押さえて固定してあり、充填部材１３の充填前は、円板部１２ａおよび円すい部１２ｂが中空部材１１内に収納状態としてある。
【００５７】
なお、他の構成は、すでに説明したゴム製裏込め材１０と同一である。
【００５８】
このようなゴム製裏込め材２０においても吊り金具１４を介して裏込めすべき矢板壁１と新設杭２のＨ型鋼３との間に取り付けた後、注入口１６を介して充填部材１３である無収縮モルタルを内部に充填することで、ゴム製部材１２を膨らませて外側に突き出すように反転させ、矢板壁１とＨ型鋼３とを連結状態とすることで、裏込めすることができ、矢板壁１を補強することができる。
【００５９】
このようなゴム製裏込め材２０によれば、中空部材１１の一端に封鎖用板部材１１ｂを取り付けて封鎖してあるので、矢板壁１あるいは、Ｈ型鋼３との密着性を向上したり、大きさを変えることで接触面積を大きくすることもでき、一層確実に矢板壁１とＨ型鋼３とを連結して補強することができる。
【００６０】
また、このゴム製裏込め材２０によってもすでに説明したゴム製裏込め材１０と同様の作用効果を奏し、陸上や海上を問わず簡単に裏込めができ、既設の矢板壁の補強なども簡単にできる。
【００６１】
次に、この発明のゴム製裏込め材のさらに他の実施の形態について、図５により説明するが、すでに説明したゴム製裏込め材１０，２０と同一部分には、同一記号を記し重複する説明は省略する。
【００６２】
このゴム製裏込め材３０は、中空部材１１の開口部１１ａの一端に封鎖用板部材１１ｂを取り付けて塞いであり、鋼管で構成した中空部材１１では、鉄板で構成した封鎖用板部材１１ｂが溶接で取り付けてある。
【００６３】
そして、このゴム製裏込め材３０では、もう一方の開口部１１ａにゴム製部材３１が被せるように取り付けてある。
【００６４】
このゴム製部材３１は、底つき円筒状のゴム材を内周側に２回折り返して三層３１ａ、３１ｂ、３１ｃの筒状とし、外層３１ａと中間層３１ｂとの間に中空部材１１の端部が挿入され、バンド１７を介して取り付けられ、中間層３１ｂおよび内層３１ｃが中空部材１１内に収納状態とされ、ゴム材の底部分の円板部３１ｄが開口部１１ａを塞ぐようになっている。
【００６５】
なお、他の構成は、すでに説明したゴム製裏込め材２０と同一である。  
このようなゴム製裏込め材３０においても吊り金具１４を介して裏込めすべき矢板壁１と新設杭２のＨ型鋼３との間に取り付けた後、注入口１６を介して充填部材１３である無収縮モルタルを内部に充填することで、ゴム製部材３１を膨らませて外側に突き出すようにし、矢板壁１とＨ型鋼３とを連結状態とすることで、裏込めすることができ、矢板壁１を補強することができる。
【００６６】
このようなゴム製裏込め材３０によれば、中空部材１１の一端に折り重ね状のゴム製部材３１を取り付けて塞ぐようにしてあるので、中間層３１ｂおよび内層３１ｃのそれぞれの長さ分だけ充填される無収縮モルタル１３で突き出すようにすることができ、突出しストロークを拡大でき、折り重ね層の層数や各層の長さによって突出しストロークを簡単に変えることができる。
【００６７】
また、このゴム製裏込め材３０によってもすでに説明したゴム製裏込め材１０および２０と同様の作用効果を奏し、陸上や海上を問わず簡単に裏込めができ、既設の矢板壁の補強なども簡単にできる。
【００６８】
次に、この発明のゴム製裏込め材の他の実施の形態について、図６により説明するが、すでに説明したゴム製裏込め材１０，２０、３０と同一部分には、同一記号を記し重複する説明は省略する。
【００６９】
このゴム製裏込め材４０は、鋼管で構成した中空部材４１の開口部４１ａの一端に外側に突出したフランジ部４１ｂを形成し、このフランジ部４１ｂに鉄板で構成した封鎖用板部材４１ｃを当て、ボルトなどで締め付けることで塞ぐようにしてある。
【００７０】
そして、このゴム製裏込め材４０では、もう一方の開口部４１ａを塞ぐゴム製部材４２が、底つきの蛇腹状とされ、蛇腹状の円筒部４２ａと底部分の円板部４２ｂと取付フランジ部４２ｃとで構成され、取付フランジ部４２ｃを中空部材４１のフランジ部４１ｂと封鎖用板部材４１ｃとの間に挟んでボルトで締め付けて取り付けてある。
【００７１】
これにより、ゴム製部材４２の蛇腹状の円筒部４２ａおよび底部分の円板部４２ｂが中空部材１１の内側に完全に収納された状態とされ、円板部４２ｂが取付フランジ部４２ｃと反対側の開口部４１ａの内側に位置した状態となっている。
【００７２】
そして、このゴム製裏込め材４０では、蛇腹状のゴム製部材４２内に充填部材１３を充填するため、封鎖用板部材４１ｃに排気口１５および注入口１６が取り付けられ、曲がり管を介して上方および下方に開口するようにしてある。
【００７３】
さらに、封鎖用板部材４１ｃには、排気口１５および注入口１６との干渉を防止して矢板壁１や新設杭２のＨ型鋼３に当てることができるようにスペーサ４３および当て板４４が外側に突き出すように溶接して取り付けてある。
【００７４】
なお、他の構成は、すでに説明したゴム製裏込め材１０、２０、３０と同一である。
【００７５】
このようなゴム製裏込め材４０においても吊り金具１４を介して裏込めすべき矢板壁１と新設杭２のＨ型鋼３との間に取り付けた後、注入口１６を介して充填部材１３である無収縮モルタルを内部に充填することで、ゴム製部材４２を膨らませて外側に突き出すようにし、矢板壁１とＨ型鋼３とを連結状態とすることで、裏込めすることができ、矢板壁１を補強することができる。
【００７６】
このようなゴム製裏込め材４０によれば、中空部材４１の内部にゴム製部材４２を完全に収納した状態で運搬や設置ができ、ゴム製部材４２の損傷を防止することができるとともに、取扱いが容易となる。
【００７７】
また、このゴム製裏込め材４０によってもすでに説明したゴム製裏込め材１０、２０および３０と同様の作用効果を奏し、陸上や海上を問わず簡単に裏込めができ、既設の矢板壁の補強なども簡単にできる。
【００７８】
次に、この発明のゴム製裏込め材のさらに他の実施の形態について、図７および図８により説明するが、すでに説明したゴム製裏込め材４０と同一部分には、同一記号を記し重複する説明は省略する。
【００７９】
このゴム製裏込め材４０Ａ，４０Ｂは、ゴム製裏込め材４０でのゴム製部材４２が充填部材１３の充填により外側に膨らみ突き出すようになった場合の下方への垂れ下がりを防止できるようにしたものであり、支持部材５１、５２が設けてある。
【００８０】
そして、ゴム製裏込め材４０Ａでは、図７に示すように、円筒状の鋼管の中空部材４１の外側に底付き円筒状の支持部材５１が二重筒状に配置されてゴム製部材４２の突き出しに応じて突き出し移動できるようになっており、支持部材５１が矢板壁１に接触した状態でも基端部が中空部材４１と重なるように長さが定めてある。
【００８１】
なお、他の構成は、すでに説明したゴム製裏込め材４０と同一である。  
このような支持部材５１を設けることで、ゴム製部材４２が外側に膨らむように突き出しても支持部材５１で下方に垂れ下がることが防止でき、確実に裏込めすることができるとともに、ゴム製部材４２を保護することもできる。
【００８２】
また、ゴム製裏込め材４０Ｂでは、図８に示すように、円筒状の鋼管の中空部材４１の内側に底付き半円筒状の支持部材５２が二重筒状に配置されてゴム製部材４２の突き出しに応じて突き出し移動できるようになっており、支持部材５２が矢板壁１に接触した状態でも基端部が中空部材４１と重なるように長さが定めてある。
【００８３】
なお、他の構成は、すでに説明したゴム製裏込め材４０と同一である。  
このような支持部材５２を設けることで、ゴム製部材４２が外側に膨らむように突き出しても支持部材５２で下方に垂れ下がることが防止でき、確実に裏込めすることができるとともに、ゴム製部材４２を保護することもできる。
【００８４】
このようなゴム製裏込め材４０Ａ、４０Ｂによってもすでに説明したゴム製裏込め材４０と同様の作用効果を奏し、陸上や海上を問わず簡単に裏込めができ、既設の矢板壁の補強なども簡単にできる。
【００８５】
なお、上記実施の形態では、充填部材として無収縮モルタルを例に説明したが、これに限らず、他の充填部材を使用することもできる。
【００８６】
さらに、支持部材として筒状または半筒状としてゴム製部材の周囲全体または下半分を覆うようにしたが、かご状など部分的にゴム製部材を覆って下部に垂れ下がることを防止するようにしても良い。
【００８７】
また、被補強部材と補強部材は、既設矢板壁と新設杭を例に説明したが、これに限らず他の海上や陸上の壁部材と補強部材に適用することもできる。
【図面の簡単な説明】
【００８８】
【図１】この発明のゴム製裏込め材を既設矢板壁と新設杭との間の裏込め補強のために適用した一実施の形態にかかる全体の概略水平断面図である。
【図２】この発明のゴム製裏込め材を既設矢板壁と新設杭との間の裏込め補強のために適用した一実施の形態にかかる全体の概略垂直断面図である。
【図３】この発明のゴム製裏込め材を既設矢板壁と新設杭との間の裏込め補強のために適用した一実施の形態にかかる拡大垂直断面図である。
【図４】この発明のゴム製裏込め材を既設矢板壁と新設杭との間の裏込め補強のために適用した他の一実施の形態にかかる拡大垂直断面図である。
【図５】この発明のゴム製裏込め材を既設矢板壁と新設杭との間の裏込め補強のために適用した一実施の形態にかかる拡大垂直断面図である。
【図６】この発明のゴム製裏込め材を既設矢板壁と新設杭との間の裏込め補強のために適用した他の一実施の形態にかかる拡大垂直断面図である。
【図７】この発明のゴム製裏込め材を既設矢板壁と新設杭との間の裏込め補強のために適用したさらに他の一実施の形態にかかる拡大垂直断面図である。
【図８】この発明のゴム製裏込め材を既設矢板壁と新設杭との間の裏込め補強のために適用した一実施の形態にかかる拡大垂直断面図である。
【符号の説明】
【００８９】
１０，２０，３０        ゴム製裏込め材
４０，４０Ａ，４０Ｂ    ゴム製裏込め材
１１、４１              中空部材
１１ａ                  開口部
１１ｂ                  封鎖用板部材
１２、３１、４２        ゴム製部材
１２ａ                  円板部
１２ｂ                  円すい部
１２ｃ                  取付フランジ部
１３                    充填部材
１４                    吊り金具
１５                    排気口
１６                    注入口
１７                    バンド
３１ａ                  外層
３１ｂ                  中間層
３１ｃ                  内層
３１ｄ                  円板部
４１ａ                  開口部
４１ｂ                  フランジ部
４１ｃ                  封鎖用板部材
４２ａ                  蛇腹状円筒部
４２ｂ                  円板部
４２ｃ                  取付フランジ部
４３                    スペーサ
４４                    当て板
５１                    筒状の支持部材
５２                    半筒状の支持部材
１                      矢板壁
２                      鋼管杭
３                      Ｈ型鋼
【図１】
2008223331.tif 000003
【図２】
2008223331.tif 000004
【図３】
2008223331.tif 000005
【図４】
2008223331.tif 000006
【図５】
2008223331.tif 000007
【図６】
2008223331.tif 000008
【図７】
2008223331.tif 000009
【図８】
2008223331.tif 000010